(57)【要約】【課題】  乗客コンベアの欄干の一部を形成する延長デッキの取り付けに際し、外側デッキと延長デッキの隙間や、各デッキの繋ぎ目の段差を修正可能とした乗客コンベアの延長デッキ取付装置を得る。【解決手段】  本体枠１の長手方向に所定の間隔をもって固定された保持具７と、保持具に支持された外側デッキ５と、外側デッキの外側に設けられた延長デッキ６とを有するものにおいて、外側デッキ及び延長デッキをその両側部で支持固定するための取付板１２を備える。【選択図】    図３
2006193285.tif 000002
【特許請求の範囲】
【請求項１】
本体枠の長手方向に所定の間隔をもって固定された保持具と、前記保持具に支持された外側デッキと、前記外側デッキの外側に設けられた延長デッキとを有する乗客コンベアの欄干において、
前記外側デッキ及び前記延長デッキをその両側部で支持固定するための取付板を備えたことを特徴とする乗客コンベアの延長デッキ取付装置。
【請求項２】
延長デッキを支持固定する取付板の部分にねじ穴を設け、このねじ穴に下方からねじ込むことにより、延長デッキを押し上げて外側デッキに密着させる押し上げボルトを備えたことを特徴とする請求項１記載の乗客コンベアの延長デッキ取付装置。
【請求項３】
外側デッキ及び延長デッキをその両側部で支持固定するための取付板を保持具に取り付け固定したことを特徴とする請求項１又は請求項２記載の乗客コンベアの延長デッキ取付装置。
【請求項４】
外側デッキ及び延長デッキをその両側部で支持固定するための取付板を保持具間に取り付け固定したことを特徴とする請求項１又は請求項２記載の乗客コンベアの延長デッキ取付装置。
【発明の詳細な説明】
【技術分野】
【０００１】
この発明は、エスカレータ等の乗客コンベアの欄干の一部を形成する延長デッキの取付装置に関するものである。
【背景技術】
【０００２】
従来の乗客コンベアにおける延長デッキの取付装置の構造を図１、図６〜図８により説明する。図１は乗客コンベアを示す全体構成図、図６は図１のＡ−Ａ線に沿った断面図、図７は図１のＤ−Ｄ線に沿った断面図、図８は図６のＥ−Ｅ線に沿った断面図である。
図において、１はエスカレータ等の乗客コンベアの本体枠、２は利用者が乗る踏板、３は踏板２と同速度で同方向に移動する移動手摺、４は欄干パネル、５は欄干パネル４の下部外側に設けられた外側デッキで、欄干の一部を形成する。６は外側デッキ５の外側に設けられた延長デッキ、７は本体枠１の長手方向に所定の間隔をもって固定され、上記欄干パネル４の下端部及び上記外側デッキ５を下方から保持するための保持具である。なお、延長デッキ６は、保持具７部分において、本体枠１に設けられたねじ座８にボルト１０で固定される断面Ｌ字形ブラケット９により固定されている。１１は外側デッキ５を保持具７に取り付けるための取付板である。
【０００３】
また、従来技術として、乗客コンベアの欄干構成において、ハンドレールデッキとモールデイングの間に隙間が発生しないように、欄干の支柱と支柱の間に効果的な支持体を配設したものが知られている（例えば、特許文献１、２参照）。
【０００４】
【特許文献１】特公平５−３２３０９号公報
【特許文献２】特公平５−３２３１０号公報
【発明の開示】
【発明が解決しようとする課題】
【０００５】
従来の乗客コンベアの延長デッキ取付装置では、据付現場において、先ず、本体枠１にねじ座８を溶接固定し、次に断面Ｌ字形ブラケット９を仮固定した上で、延長デッキ６を載せて、ブラケット９の高さを調節する構造となっており、据付作業に時間がかかるといった問題があった。また、延長デッキ６の延長量が大きくなると、保持具７の配置間隔によっては、延長デッキ６自身の撓みによって、外側デッキ５との間に隙間ｇが生じることや、デッキの繋ぎ目部分で段差が生じることにより、意匠性と安全性を著しく損なうという問題があった。
また、特許文献１、２記載のものは、いずれも乗客コンベアの欄干構成に関するものであり、延長デッキの取付構造については何も触れられていない。
【０００６】
この発明は、上述のような課題を解決するためになされたもので、乗客コンベアの欄干の一部を形成する延長デッキの取り付けに際し、外側デッキと延長デッキの隙間や、各デッキの繋ぎ目の段差を修正可能とした乗客コンベアの延長デッキ取付装置を提供することを目的としている。
【課題を解決するための手段】
【０００７】
この発明に係る乗客コンベアの延長デッキ取付装置は、本体枠の長手方向に所定の間隔をもって固定された保持具と、保持具に支持された外側デッキと、外側デッキの外側に設けられた延長デッキとを有するものにおいて、外側デッキ及び延長デッキをその両側部で支持固定するための取付板を備えたものである。
【発明の効果】
【０００８】
この発明によれば、従来、本体枠に溶接固定していたねじ座及びブラケットの取り付けが不要となり、部品点数を削減できるとともに、延長デッキ取り付け作業が簡易化され、据付作業時間の短縮を図ることができる。また、押し上げボルトを使用することにより、外側デッキと延長デッキとを密着させることができるので、外側デッキと延長デッキの隙間及び各デッキの繋ぎ目の段差を解消し、意匠性と安全性の向上を図ることができる。
【発明を実施するための最良の形態】
【０００９】
実施の形態１．
図１は乗客コンベアを示す全体構成図、図２はこの発明の実施の形態１における乗客コンベアの図１のＡ−Ａ線に沿った断面図、図３は図２のＢ−Ｂ線に沿った断面図である。
図において、１はエスカレータ等の乗客コンベアの本体枠、２は利用者が乗る踏板、３は踏板２と同速度で同方向に移動する移動手摺、４は欄干パネル、５は欄干パネル４の下部外側に設けられた外側デッキで、欄干の一部を形成する。６は外側デッキ５の外側に設けられた延長デッキ、７は本体枠１の長手方向に所定の間隔をもって固定され、上記欄干パネル４の下端部及び上記外側デッキ５を下方から保持するための保持具である。１２は保持具７の外側端部と外側デッキ５の下面との間に一端の内側高平坦部１２ａをボルト１０ａにより固定されたＺ字状の取付板である。この取付板１２の他端の外側低平坦部１２ｂは、その上下両面に取付板１３を介在させ、ボルト１０ｂにより延長デッキ６の下面を固定している。また、取付板１２の他端の外側低平坦部１２ｂの欄干パネル４寄り（内側）に設けられたねじ穴に押し上げボルト１４が下方からねじ込まれ、押し上げボルト１４の先端が延長デッキ６の欄干パネル４寄り（内側）の端部を持ち上げて、外側デッキ５の外側端部に密着させている。  
【００１０】
この実施の形態１によれば、延長デッキ６の取り付けに際し、従来、本体枠に溶接固定していたねじ座及びブラケットの取り付けが不要となり、部品点数を削減できるとともに、延長デッキ取り付け作業が簡易化され、据付作業時間の短縮を図ることができる。また、押し上げボルトを使用することにより、外側デッキと延長デッキとを密着させることができるので、外側デッキと延長デッキの隙間及び各デッキの繋ぎ目の段差を解消し、意匠性と安全性の向上を図ることができる。
【００１１】
実施の形態２．
図４はこの発明の実施の形態２における乗客コンベアの図１のＡ−Ａ線に沿った断面図、図５は図４のＣ−Ｃ線に沿った断面図である。
図において、１はエスカレータ等の乗客コンベアの本体枠、４は欄干パネル、５は欄干パネル４の下部外側に設けられた外側デッキで、欄干の一部を形成する。６は外側デッキ５の外側に設けられた延長デッキ、１５は本体枠１の長手方向に所定の間隔をもって固定され、上記欄干パネル４の下端部及び上記外側デッキ５を下方から保持するための保持具７間に取り付けられたＺ字状の取付板である。この取付板１５の一端の内側高平坦部１５ａは外側デッキ５の下面にボルト１０ａにより固定されている。また、この取付板１５の他端の外側低平坦部１５ｂにはねじ穴が設けられ、このねじ穴に押し上げボルト１４が下方からねじ込まれ、押し上げボルト１４の先端が延長デッキ６の欄干パネル４寄り（内側）の端部を持ち上げて、外側デッキ５の外側端部に密着させている。これにより、外側デッキ５と延長デッキ６との間に生じる隙間ｇを無くすことができる。  
【００１２】
この実施の形態２によっても、延長デッキ６の取り付けに際し、従来、本体枠に溶接固定していたねじ座及びブラケットの取り付けが不要となり、部品点数を削減できるとともに、延長デッキ取り付け作業が簡易化され、据付作業時間の短縮を図ることができる。また、押し上げボルトを使用することにより、外側デッキと延長デッキとを密着させることができるので、外側デッキと延長デッキの隙間及び各デッキの繋ぎ目の段差を解消し、意匠性と安全性の向上を図ることができる。
【図面の簡単な説明】
【００１３】
【図１】乗客コンベアを示す全体構成図である。
【図２】この発明の実施の形態１における乗客コンベアの図１のＡ−Ａ線に沿った断面図である。
【図３】図２のＢ−Ｂ線に沿った断面図である。
【図４】この発明の実施の形態２における乗客コンベアの図１のＡ−Ａ線に沿った断面図である。
【図５】図４のＣ−Ｃ線に沿った断面図である。
【図６】従来の乗客コンベアにおける図１のＡ−Ａ線に沿った断面図である。
【図７】従来の乗客コンベアにおける図１のＤ−Ｄ線に沿った断面図である。
【図８】図６のＥ−Ｅ線に沿った断面図である。
【符号の説明】
【００１４】
１  乗客コンベアの本体枠
２  踏段
３  移動手摺
４  欄干パネル
５  外側デッキ
６  延長デッキ
７  保持具
８  ねじ座
９  ブラケット
１０  ボルト
１１  取付板
１２  Ｚ字形取付板
１３  取付板
１４  押し上げボルト
１５  Ｚ字形取付板
【図１】
2006193285.tif 000003
【図２】
2006193285.tif 000004
【図３】
2006193285.tif 000005
【図４】
2006193285.tif 000006
【図５】
2006193285.tif 000007
【図６】
2006193285.tif 000008
【図７】
2006193285.tif 000009
【図８】
2006193285.tif 000010